(57)【要約】【課題】高齢者は、聞こえが日々変化し、毎日の補聴器の調整が面倒であった。本発明は、マイクを左右の眼鏡フレームに固定しイヤホーンとの距離を空ける、増幅調整器は、ポケット型として分離し、高齢者が自分で操作し易く、３Ｄ（音の方向、遠近感）再生が可能で、ハウリングがない、眼鏡を掛けて長時間使用できる使い易い補聴器を提供する。【解決手段】防水、指向性小型マイク（５）を左右の眼鏡フレーム蝶番（４）付近に固定する。前記マイクからの信号は眼鏡フレーム内の導線（６）、コンセント（７）プラグ（８）リード線（９）により補聴器の増幅調整器（１０）に入力し、マイク感度ＶＲ（１９）、音量ＶＲ（１７）、音質調整ＶＲ（１８）のＶＲを配置して高齢者が操作し易い構造として、増幅調整後の音声信号をフレーム導線（６）から左右の耳穴に誘導して  イヤホーン（１４）により音声を再生する。以上のようにマイクと補聴器の増幅調整器とイヤホーンと、フレーム内導線を一体的構造とした、眼鏡型３Ｄ補聴器。【選択図】図１
2012147405.tif 000002
【特許請求の範囲】
【請求項１】
防水、指向性マイク（５）を左右のメガネフレーム（１）（１）の前方蝶番（４）近くに固定し、イヤホーン（１４）を、左右の眼鏡フレーム（１）（１）の最後端部に設けたイヤホーンコンセント（１１）とイヤホーンプラグ（１２）から、イヤホーンリード線（１３）を介して前記マイク（５）からの距離を空けて設け、前記眼鏡フレーム（１）は、導線数本を収容する合成樹脂の一体成型とし、蝶番（４）の屈折部分、眼鏡リム（３）及び眼鏡ブリッジ（２）部分に密着して架設した極細樹脂パイプ（２２）内に導線を通し、別に形成した補聴器増幅調整器への導線コンセント（７）を片方のフレーム後部に設置して、補聴器増幅調整器リード線プラグ（８）によりリード線（９）から補聴器増幅調整器（１０）に伝えることを特徴とする。以上のごとく構成された、眼鏡型３Ｄ補聴器。
【請求項２】
眼鏡本体とは別に補聴器増幅調整器（１０）をポケット型に形成し、器内に、電源押しボタン式ＳＷ（１６）、左右マイク感度調整スライド式ＶＲ（１９）、音質調整回転式ＶＲ（１８）、音量調整回転式ＶＲ（１７）、電池ホルダー（２１）、補聴器増幅調整リード線巻き取り器（２０）、左右の眼鏡フレームの耳上部分にイヤホーンホルダー（１５）を設けた構造とし、マイク及びイヤホーンへの入出力信号は、この補聴器増幅調整器（１０）から眼鏡フレーム内導線により左右別々の回路からイヤホーンに送出することを特徴とする。以上のごとく構成された、眼鏡型３Ｄ補聴器。
【発明の詳細な説明】
【技術分野】
【０００１】本発明は、高齢化社会に馴染む、高齢者が利用し易い  眼鏡型３Ｄ補聴器に関するものである。
【背景技術】
【０００２】従来の補聴器は耳穴型、耳掛型又はマイク一体の眼鏡装着型補聴器が多く、片耳型では左右別々に設置が必要で、マイク一体の眼鏡装着型は眼鏡の重量が重くなり長時間の着用には抵抗感があった、また、超小型化によりハウリングが起きやすく、高齢者が日々体調の変化に応じて自分の「聞こえ」に合わせるための調整には、その都度補聴器を耳から取りはずして、複数箇所の調整が必要であり、また、操作も超小型のため高齢者には細かい扱いが出来にくい面があり電池寿命も短い、また３Ｄ再生ができない。ここで言う「３Ｄ再生」とは、再生音の方向感、再生音の遠近感の復元性のことを示す。
【先行技術文献】
【０００３】
【特許文献１】特開２００１−１１２０９６号公報  補聴用具
【特許文献２】特開２００６−１６２８７９号公報  補聴器付眼鏡
【特許文献３】特開２００７−１０８２５４号公報  補聴器付眼鏡およびその調整方法
【特許文献４】実開昭６３−９５３９９号公報  補聴器
【発明の概要】
【発明が解決しようとする課題】
【０００４】１  高齢者が日々変化する「聞こえ」に応じた調整がしにくい。
２  「再生音の方向感、遠近感の復元性にすぐれた」再生ができない。
３  ハウリングが発生しやすい。
４  電池寿命が短い。
５  補聴器使用が目立ちやすい。
６  紛失し易い
７  眼鏡型は眼鏡本体の重量が重い。
本発明は以上の課題を解決しようとするものである。
【課題を解決するための手段】
【０００５】小型の防水指向性マイクと、ポケット型補聴器増幅調整器と、耳穴式イヤホーンと、眼鏡フレーム内を利用した導線とから成る眼鏡型３Ｄ補聴器。
小型の防水指向性マイクを、左右の眼鏡フレーム前方の蝶版付近に固定し、イヤホーンとの距離をあける。左右マイクからの音声信号を、合成樹脂製の眼鏡フレーム内に一体成型で極細い導線を数本組込み、左右マイクからの信号を眼鏡リム  眼鏡ブリッジに架設した極細樹脂パイプに通した導線を経て、フレーム後部に設けたコンセントとプラグからポケット型補聴器増幅調整器へ信号を送出する。
調整後の音声信号は、前記の導線の別回路により左右の眼鏡フレーム最後部先端に設けたコンセントからプラグによりリード線（目立ちにくい透明コード使用）からイヤホーンに接続して耳穴に装着し、３Ｄ音が再生される。
また、左右眼鏡フレームの耳上付近に一時的に補聴器を使用しないときのイヤホーンホルダーを設ける。
（請求項１記載）
眼鏡本体とは別に、補聴器増幅調整器をポケット型として信号の集中一元化をはかり、左右マイク感度調整、音量、音質、調整機能を持たせて高齢者が使いやすいボリュウムの形態とする。
また  補聴器を使用しないときのためにリード線巻き取り装置と、電池ホルダーを器内に設ける。
（請求項２記載）
【発明の効果】
【０００６】１  日々体調の変化による高齢者の「聞こえ」に応じ、その時々の調整が可能な使い易いＶＲツマミや、ＳＷボタンなどで自分自身が調整して納得できる聞き易さを実現できる。
２  電気信号を集中した１個のポケット型増幅器の採用により、調整又は電池交換の都度耳穴から取り出さないでこの増幅器により、音質、音量、左右マイク感度の調整や電池交換が高齢者でも容易にできる。
３  音の方向感、音の遠近感が実感できる。
４  ハウリングの防止改善が出来る（マイクとイヤホーン距離改善により）。
５  ポケット型増幅器により単４型電池利用が出来、利用時間の延長（充電式も可能）が出来る。
６  小型防水指向性マイクは、眼鏡の装飾の一部としても利用することが出来る。
７  眼鏡本体の重量の軽減により長時間の使用ができる。
８  眼鏡型でカムフラージュでき、補聴器の利用が目立たなく「補聴器を使っている」という高齢者の自尊心を傷つけないデザインでカバーすることができる。
９  眼鏡デザインの向上にあわせ抵抗感なく自分流の補聴器利用ができ、日常生活が向上し、高齢者に自信をもたせ、高齢者福祉に寄与できる。また  サングラスやファッション眼鏡に装着すれば年齢に関係なく幅広い年齢層で利用できる。
１０  大型増幅器のため紛失しにくい。
【図面の簡単な説明】
【０００７】
【図１】眼鏡全体の斜視図
【図２】ａ  眼鏡フレーム部分略図  ｂ  コンセント・プラグ部分略図
【図３】ａ  眼鏡蝶番部分の導線保護の略図  ｂ  眼鏡リム、ブリッジ部分の導線処理の略図
【図４】補聴器増幅調整器の斜視図
【図５】眼鏡フレーム内電気配線略図
【図６】眼鏡使用姿図
【発明を実施するための形態】
【０００８】以下、本発明の実施の形態を説明する。
（イ）補聴器用の防水、指向性マイク（５）を左右の眼鏡フレーム（１）（１）の前方蝶番（４）（４）付近に固定し、イヤホーン（１４）との距離を開ける。
（ロ）イヤホーン（１４）は、別に設けた補聴器増幅調整器（１０）で調整後の音声信号を、左右のフレーム（１）（１）後部最先端にコンセント（１１）（１１）を設けて、差込型小型プラグ（１２）、リード線（１３）で左右の耳穴に誘導し音声を再生する。
（ハ）補聴器増幅調整器（図４参照）は、１個の軽量ポケット型（又は首掛け）で独立して分離し、眼鏡本体の重量を軽減する。
増幅調整器には、左右マイク感度、左右イヤホーン音量、音質等の調整機能を備える。
電源は１．５Ｖ乾電池を使用し電池寿命の長期化を図る（充電も可能）。
電池は、補聴器増幅調整器（１０）内に設けた電池ホルダー（２１）に乾電池を装着して必要個所に供給する。
補聴器増幅調整器内にはリード線巻き取り装置（２０）を備え、補聴器を使用しないときの、リード線（９）を収容し、リード線のカラミを防止することが出来る構造とする。
（ニ）補聴器増幅調整器（１０）の調整は、高齢者が操作し易い大きさの押しボタン式電源ＳＷ（１６）、左右マイク感度調整スライド式ＶＲ（１９）、イヤホーン音量調整回転式ＶＲ（１７）、音質調整回転式ＶＲ（１８）により調整する。
（ホ）前記に必要な入出力信号は、フレーム内導線（６）により行われる。
（ヘ）フレーム内導線（６）は、必要本数（６〜８本程度）の極細導線を、フレーム一体成型加工により製作し、蝶番（４）部分は、特殊ポリアミド樹脂等の極細樹脂パイプ（２２）で覆い、柔軟に屈折可能な構造とし、眼鏡リム（３）眼鏡ブリッジ（２）の導線はリム、ブリッジに沿わせて架設した極細樹脂パイプ（２２）で繋ぐ。
（ト）防水、指向性マイク（５）イヤホーン（１４）は左右別々の電気回路として、分離した補聴器増幅調整器（１０）、とこれらを結ぶ左右のフレーム内導線（６）の一体的利用ができる形態の構造とする。
本発明は以上のような構造である。
本発明を使用するときは、
（イ）左右眼鏡フレームのイヤホーンプラグ（１２）を眼鏡最先端フレームコンセント（１１）にそれぞれ装着し、右側フレーム後部の補聴器増幅調整器用コンセント（７）に、補聴器増幅調整器用リード線プラグ（８）を装着して眼鏡をかけ、イヤホーン（１４）を耳に装着する。
（ロ）補聴器増幅調整期器（１０）は、服のポケット又は使用し易い場所（首掛けなど）に装着する。
（ハ）簡単操作の説明
（１）補聴器を使用するとき
１  電源ＳＷ（１６）を押し、（入り）にする。
２  左、右マイク感度調整（１９）を、その日の聞こえに合わせて聞きやすい左右の感度に調整する。
３  音質ＶＲ（１８）、音量ＶＲ（１７）の回転式ＶＲにより聞きやすい音質音量に調整する。
（２）補聴器を使用しないとき
１  電源ＳＷ（１６）を再度押し、電源を（切り）にする。
２  長期間使用しないときはイヤホーンプラグ（１２）と、増幅器導線プラグ（８）をコンセントから取り外す。
補聴器増幅調整器リード線は、増幅器内の巻き取り器（２０）に収納する。
３  一時的に使用しないときは、イヤホーン（１４）を、フレームに設けたイヤホーンホルダー（１５）にかけ眼鏡のみ使用することが出来る。
（３）電池きれのとき
１  電池の交換、または充電する。
（４）眼鏡レンズ交換とき。
１  眼鏡リム（３）で眼鏡店で交換可能。
【符号の説明】
【０００９】  １  眼鏡フレーム
２  眼鏡ブリッジ
３  眼鏡リム
４  蝶番
５  防水、指向性マイク
６  フレーム内導線（入・出力電気信号導線）
７  補聴器増幅調整器の導線コンセント
８  補聴器増幅調整器リード線プラグ
９  補聴器増幅調整器リード線
１０  補聴器増幅調整器
１１  イヤホーンコンセント
１２  イヤホーンプラグ
１３  イヤホーンリード線
１４  イヤホーン
１５  イヤホーンホルダー
１６  電源ＳＷ  （スイッチ）
１７  音量ＶＲ（可変抵抗器）
１８  音質ＶＲ（可変抵抗器）
１９  左右マイク感度調整ＶＲ（可変抵抗器）
２０  補聴器増幅調整器リード線巻き取り器
２１  電池ホルダー
２２  極細樹脂パイプ
【図１】
2012147405.tif 000003
【図２】
2012147405.tif 000004
【図３】
2012147405.tif 000005
【図４】
2012147405.tif 000006
【図５】
2012147405.tif 000007
【図６】
2012147405.tif 000008